(57)【要約】【課題】シリアル通信可能なレンズ装置においてシリアル通信を許可又は禁止する選択手段を設け、カメラ本体がシリアル通信が可能な場合であってもシリアル通信を行わないようにすることで、運用の安全を確保し、また、その際に、レンズ装置内の処理回路の処理速度を低下させることにより消費電力の低減を図るレンズ装置を提供する。【解決手段】レンズ装置１０は、カメラ本体２０との間でシリアル通信を行う機能とパラレル通信を行う機能を備えており、シリアル禁止スイッチＳ１がオンされると、シリアル通信が可能な場合であってもパラレル通信を行う。【選択図】      図１
2004240084.tif 000002
【特許請求の範囲】
【請求項１】
カメラ本体とのシリアル通信が可能なレンズ装置において、前記シルアル通信を許可又は禁止する選択手段を備えたことを特徴とするレンズ装置。
【請求項２】
前記選択手段により前記シリアル通信が禁止された場合、カメラ本体との間でパラレル通信を行うことを特徴とする請求項１のレンズ装置。
【請求項３】
前記選択手段により前記シリアル通信が禁止された場合に、レンズ装置に搭載された処理回路の処理速度を低下させることを特徴とする請求項１のレンズ装置。
【発明の詳細な説明】
【０００１】
【発明の属する技術分野】
本発明はレンズ装置に係り、特にカメラ本体とのシリアル通信が可能なレンズ装置に関する。
【０００２】
【従来の技術】
テレビカメラのカメラ本体及びカメラ本体に装着されるレンズ装置には、多くの場合、パラレルインターフェースが標準的に設けられており、パラレルインターフェースによりカメラ本体とレンズ装置との間で各種信号のやり取りを行えるようになっている。例えば、カメラ本体からレンズ装置に送られる信号としては、オートフォーカスの際のフォーカス制御信号や、オートアイリスの際のアイリス制御信号などがある。レンズ装置からカメラ本体に送られる信号としては、フォーカス、ズーム、アイリス等の位置情報等がある。
【０００３】
ところで、パラレルインターフェースでは、各コネクタピンのそれぞれに対し、伝送する信号として予め決められた１種類ずつの信号が割り当てられる。このため、カメラ本体とレンズ装置との間でやり取りする信号の種類が多いと、コネクタピンのピン数も多くなる。実際に、レンズ装置の機能の増加等に伴ってカメラ本体とレンズ装置との間でやり取りする信号の種類も増加し、ピン数を多くする必要が生じていた。しかしながら、ピン数を増やすことには限界があることから、従来、シリアル通信により各種信号のやり取りを行うことができるシリアル通信可能なカメラ本体及びレンズ装置も知られている（例えば、特許文献１参照）。
【０００４】
シリアル通信可能なカメラ本体又はレンズ装置は、通常、互換性の観点からパラレルインターフェースも備えており、相手がシリアル通信可能な機器か否かによってシリアル通信とパラレル通信とを自動的に切り替える機能を備えている。これにより、カメラ本体とレンズ装置のいずれもシリアル通信が可能である場合にはシリアル通信により信号のやり取りが行われ、いずれか一方でもシリアル通信が可能でない場合には、パラレル通信により信号のやり取りが行われるようになっている。
【０００５】
【特許文献１】
特許３３３２８０８号公報
【０００６】
【発明が解決しようとする課題】
しかしながら、カメラ本体及びレンズ装置のいずれもがシリアル通信可能な場合であっても、多くの機能を使用しない場合にはシリアル通信が必要でないという場合も多く、シリアル通信を行うことにより不要な情報に惑わされて運用に支障をきたすことも考えられる。また、シリアル通信による情報交換が頻繁になるに伴い、レンズ装置内の処理回路（主としてＣＰＵ）の負荷が大きくなり、通信以外の処理能力が低下するおそれがあり、また、それを補うために高速クロックで処理速度を上げなければならず消費電力が大きくなるという欠点があった。
【０００７】
本発明はこのような事情に鑑みたもので、カメラ本体及びレンズ装置のいずれもがシリアル通信可能な場合であっても、パラレル通信による各種信号のやり取りを行うことにより、運用の安全性を確保し、また、消費電力の低減を図ることができるレンズ装置を提供することを目的とする。
【０００８】
【課題を解決するための手段】
前記目的を達成するために、請求項１に記載の発明は、カメラ本体とのシリアル通信が可能なレンズ装置において、前記シルアル通信を許可又は禁止する選択手段を備えたことを特徴としている。
【０００９】
また、請求項２に記載の発明は、請求項１に記載の発明において、前記選択手段により前記シリアル通信が禁止された場合、カメラ本体との間でパラレル通信を行うことを特徴としている。
【００１０】
また、請求項３に記載の発明は、請求項１に記載の発明において、前記選択手段により前記シリアル通信が禁止された場合に、レンズ装置に搭載された処理回路の処理速度を低下させることを特徴としている。
【００１１】
本発明によれば、シリアル通信を許可又は禁止する選択手段を設け、シリアル通信が可能な場合であってもシリアル通信を行わないようにすることができるため、運用の安全を確保することができる。また、その際に、レンズ装置内の処理回路の処理速度を低下させることにより消費電力の低減を図ることもできる。
【００１２】
【発明の実施の形態】
以下添付図面に従って本発明に係るレンズ装置の好ましい実施の形態について詳説する。
【００１３】
図１は、本発明に係るレンズ装置の全体構成を示したブロック図である。同図には、レンズ装置１０の光学系（撮影レンズ）を構成する可動の光学部材として、フォーカスレンズ（群）ＦＬ、ズームレンズ（群）ＺＬ、アイリスＩが示されており、それぞれモータＦＭ、ＺＭ、ＩＭにより駆動されるようになっている。各モータＦＭ、ＺＭ、ＩＭに対しては、それぞれアンプＦＡ、ＺＡ、ＩＡが設けられており、各アンプＦＡ、ＺＡ、ＩＡは、レンズ装置１０に搭載されたＣＰＵ（中央処理装置）１４からＤ／Ａ変換器１６を介して与えられる制御信号に基づいて各モータＦＭ、ＺＭ、ＩＭを駆動する。これにより、フォーカスレンズＦＬ、ズームレンズＺＬ、アイリスＩの位置又は動作速度がＣＰＵ１４からの制御信号によって制御されるようになっている。尚、図示しないポテンショメータによりフォーカスレンズＦＬ、ズームレンズＺＬ、アイリスＩの位置情報がＣＰＵ１４に与えられており、フォーカスレンズＦＬ、ズームレンズＺＬ、アイリスＩの制御に参照されている。
【００１４】
また、レンズ装置１０には、例えばマニュアル操作される操作部材を備えたフォーカスデマンド１１やズームデマンド１２が接続されるようになっており、それらの操作部材の設定位置に対応した電圧の指令信号がＡ／Ｄ変換器１３を介してＣＰＵ１４に与えられるようになっている。ＣＰＵ１４は、例えば、フォーカスデマンド１１から与えられた指令信号の電圧値に基づいてフォーカスレンズＦＬの位置を制御し、ズームデマンド１２から与えられた指令信号の電圧値に基づいてズームレンズＺＬの動作速度を制御する。これにより、フォーカスデマンド１１やズームデマンド１２での操作に従ってフォーカスレンズＦＬやズームレンズＺＬが駆動される。尚、アイリスＩは一般に以下の通信機能によりカメラ本体２０から与えられる指令信号に基づいて制御される。
【００１５】
また、本レンズ装置１０は、装着されたカメラ本体２０との間で各種信号（情報）をやり取りする通信機能が備えられており、その通信機能として各種信号をシリアル伝送するシルアル通信の機能（シリアルインターフェース）と、各種信号をパラレル伝送するパラレル通信の機能（パラレルインターフェース）の両方を備えている。カメラ本体２０との間でシリアル通信を行う場合には、ＳＣＩ（シリアルコミュニケーションインターフェース）２２を通じてカメラ本体２０との間で各種信号をシリアル伝送により送受信する。一方、カメラ本体２０との間でパラレル通信を行う場合には、カメラ本体２０からパラレル伝送される各種信号（アナログ信号）をＡ／Ｄ変換器２４によりデジタル信号に変換して取得し、また、オン・オフ信号などをカメラ本体２０との間でやり取りするカメラ本体２０にパラレル伝送する各種信号をＤ／Ａ変換器２６によりアナログ信号に変換して出力する。
【００１６】
尚、上述のようなシリアル通信やパラレル通信などでやり取りされる情報として、例えば、レンズ装置１０からカメラ本体２０にはフォーカスレンズＦＬ、ズームレンズＺＬ、アイリスＩの位置情報等があり、カメラ本体２０からレンズ装置１０にはオートフォーカスの際のフォーカス制御信号やオートアイリスの際のアイリス制御信号などがある。また、シリアル通信の場合には、パラレル通信よりも多く情報がレンズ装置１０とカメラ本体２０との間でやり取り可能である。
【００１７】
更に、本レンズ装置１０には、操作者によってオン／オフ操作されるシリアル禁止スイッチＳ１が設けられており、このスイッチＳ１のオン／オフ状態がＣＰＵ１４によって検出される。もし、操作者がシリアル禁止スイッチＳ１をオフに設定した場合には、シルアル通信が許可され、シルアル禁止スイッチＳ１をオンに設定した場合にはシリアル通信が禁止される。
【００１８】
シリアル禁止スイッチＳ１がオフに設定されてシリアル通信が許可された場合、カメラ本体２０がシリアル通信の機能（シリアルインターフェース）を備えていれば、ＣＰＵ１４は、カメラ本体２０との通信モードをシリアル通信モードに設定し、カメラ本体２０との各種信号のやり取りをシリアル通信により行う。これに対して、カメラ本体２０がシリアルインターフェースを備えていなければ、シリアル禁止スイッチＳ１がオンの場合と同様にカメラ本体２０との通信モードを後述のシリアル通信禁止モードに設定する。
【００１９】
シリアル禁止スイッチＳ１がオンに設定されてシリアル通信が禁止された場合、ＣＰＵ１４は、カメラ本体２０がシリアルインターフェースを備えている場合であってもシルアル通信を行わないシリアル通信禁止モードに設定する。シリアル通信禁止モードでは、カメラ本体２０がパラレル通信の機能（パラレルインターフェース）を備えていれば、カメラ本体２０との各種信号のやり取りをパラレル通信により行う。これに対して、カメラ本体２０がパラレルインターフェースを備えていなければ、カメラ本体２０との通信を行わない。尚、多くの場合、カメラ本体２０にはパラレルインターフェースが標準的に設けられており、シリアル通信禁止モードでは通常、パラレル通信により信号のやり取りが行われる。
【００２０】
次にＣＰＵ１４における通信モードの設定手順を図２のフローチャートで説明する。ＣＰＵ１４は所要の初期設定を行うと（ステップＳ１０）、次に、シリアル禁止スイッチＳ１がオフか否かを判定する（ステップＳ１２）。ＹＥＳと判定した場合にはシリアル通信が許可されているため、続いて、シリアル通信により通信を要求する信号をカメラ本体２０に送信する（ステップＳ１４）。そして、これに対してカメラ本体２０から応答（シリアル受信）があるか否かを判定する（ステップＳ１６）。ＹＥＳと判定した場合にはシリアル通信モードに設定し（ステップＳ１８）、ステップＳ１２に戻る。一方、ＮＯと判定した場合にはシリアル通信禁止モードに設定し（ステップＳ２０）、ステップＳ１２に戻る。
【００２１】
ステップＳ１２においてＮＯ、即ち、シリアル禁止スイッチＳ１がオンに設定されたと判定した場合には、シリアル通信が禁止されるため、シリアル通信禁止モードにし（ステップＳ２２）、ステップＳ１２に戻る。
【００２２】
以上、上記実施の形態では、シリアル通信の許可又は禁止を選択する選択手段を手動で操作する機械的スイッチ（シリアル禁止スイッチＳ１）としたが、電気的にオン／オフの書き込みが可能な記憶手段（例えば図１に示すＥＥＰＲＯＭ３０）に対して事前にシリアル通信を許可するか禁止するかの情報を記憶させておくようにしてもよい。
【００２３】
また、シリアル禁止スイッチによりシリアル通信が禁止された場合や、カメラ本体２０にシリアルインターフェースが備えられていない場合等のようにカメラ本体２０との間でシリアル通信を行わない場合、その分だけＣＰＵ１４で必要とされる処理能力が軽減されるため、ＣＰＵ１４のクロック周波数を低下させて処理速度を遅くし、消費電力を低減するようにしてもよい。ＣＰＵを用いない構成の処理回路により上記ＣＰＵ１４に相当する処理を行う場合にも同様に、シリアル通信を行わない場合にはその処理回路の処理速度をシリアル通信を行う場合よりも低下させると効果的である。
【００２４】
【発明の効果】
以上説明したように本発明に係るレンズ装置によれば、シリアル通信を許可又は禁止する選択手段を設け、シリアル通信が可能な場合であってもシリアル通信を行わないようにすることができるため、運用の安全を確保することができる。また、その際に、レンズ装置内の処理回路の処理速度を低下させることにより消費電力の低減を図ることもできる。
【図面の簡単な説明】
【図１】図１は、本発明に係るレンズ装置の構成を示した構成図である。
【図２】図２は、通信モードの設定手順を示したフローチャートである。
【符号の説明】
１０…レンズ装置、ＦＬ…フォーカスレンズ、ＺＬ…ズームレンズ、Ｉ…アイリス、ＦＭ、ＺＭ、ＩＭ…モータ、ＦＡ、ＺＡ、ＩＡ…アンプ、１１…フォーカスデマンド、１２…ズームデマンド、１４…ＣＰＵ、２０…カメラ本体、２２…ＳＣＩ、２４…Ａ／Ｄ変換器、Ｓ１…シリアル禁止スイッチ
【図１】
2004240084.tif 000003
【図２】
2004240084.tif 000004